(57)【特許請求の範囲】
【請求項１】
釣竿が収容可能なケース本体（１）の一側壁（２）に肩掛け可能なベルト（３）が取り付けられてなる釣竿ケースであって、前記ケース本体（１）の上方側で且つベルト（３）の一端部が止着された上面側に、前記一側壁（２）からベルト（３）側に突出する当接面（９）が形成されてなることを特徴とする釣竿ケース。
【請求項２】
前記当接面（９）は、凹状に形成されてなる請求項１記載の釣竿ケース。
【請求項３】
前記当接面（９）より上方側には、補助ベルト（１１）が設けられてなる請求項１又は２記載の釣竿ケース。
【発明の詳細な説明】
【０００１】
【発明の属する技術分野】
本発明は、釣竿が収容可能な釣竿ケースの改良に関するものである。
【０００２】
【従来の技術】
従来、この種の釣竿ケースとしては、釣竿が収容可能なケース本体の前壁に肩掛け可能なベルトが上下に取り付けられてなるものが公知である。
【０００３】
【発明が解決しようとする課題】
しかるに、かかる従来の釣竿ケースにあっては、前壁全面が平面状に形成されてなるので、ケース本体の内部に釣竿を収容してベルトを肩に掛けて担ぎ上げると、平面状の前壁が背中や肩に沿いにくく、前壁と肩との間に空間が生じるなど、ケース本体が肩を中心として前後に回転しやすく不安定となる場合があった。
【０００４】
しかも、前壁の上下方向にベルトが一本設けられているのみであるために、ケース本体を背中や肩に確実に固定できない場合もあった。
【０００５】
何れにしても、従来の釣竿ケースは、ケース本体を背中や肩に密着させることが困難な場合が生じうるために、ケース本体を肩に掛けて持ち運ぶ際に、ケース本体が揺動して携帯者の負担が大きくなる場合があるという問題があった。
【０００６】
本発明は、上記従来の問題点に鑑みてなされたもので、ケース本体を安定させて携帯者の負担を低減することを課題とする。
【０００７】
【課題を解決するための手段】
本発明は、上記課題を解決すべくなされたものであり、本発明に係る釣竿ケースは、釣竿が収容可能なケース本体１の一側壁２に肩掛け可能なベルト３が取り付けられてなる釣竿ケースであって、前記ケース本体１の上方側で且つベルト３の一端部が止着された上面側に、前記一側壁２からベルト３側に突出する当接面９が形成されてなることを特徴とする。
【０００８】
本発明に係る釣竿ケースにあっては、ケース本体１の上方側で且つベルト３の一端部が止着された上面側に、一側壁２からベルト３側に突出する当接面９が形成されてなるので、ベルト３を肩に掛けてケース本体１を担ぎ上げた際に、前記当接面９をベルト３を介して肩に当接させることができる。従って、ケース本体１が肩や背中に密着することによって、ケース本体１を安定して携帯することができるのである。
【０００９】
特に、請求項２記載の如く、当接面９を凹状に形成することにより、凸状の肩に凹状の当接面９を沿わせてることができ、より一層ケース本体１を密着させることができる。
【００１０】
また、請求項３記載の如く、当接面９より上方側に補助ベルト１１を設けることにより、該補助ベルト１１を前方側に引っ張ることで、当接面９を肩に密着させ該密着状態を維持して携帯することができる。
【００１１】
【発明の実施の形態】
以下、本発明の釣竿ケースの一実施形態について図面を参酌しつつ説明する。
図１において、本実施形態における釣竿ケースは、内部に釣竿が収容可能なケース本体１の前壁２（一側壁）に肩掛け可能なベルト３が止着されてなるものであり、該ベルト３は、前壁２の上下二箇所の止着部４，５でケース本体１に取り付けられてなる。尚、ベルト３が取り付けられてなる部分の前壁２は、略平面状に形成されてなる。
【００１２】
かかるベルト３は、下方側の止着部４に一端側が止着されてなる下方ベルト６と、上方側の止着部５に一端側が止着され且つ前記下方ベルト６に長さ調整具７を介して着脱自在に連結された上方ベルト８とからなり、該上方ベルト８の上方側には、緩衝材としてのパット部材８ａが設けられてなる。このように、ベルト３は、上方ベルト８と下方ベルト６とから肩掛け可能に構成され、しかも、長さ調整具７によって長さ調整可能に設けられてなる。
【００１３】
また、前記前壁２の上方側の止着部５の上方には、前壁２から前方側（ベルト３側）に突出する当接面９が形成され、該当接面９は、前記上方側の止着部５を起点として上方に凹状の曲面状に形成されてなる。このように、当接面９は、ケース本体１の上方側で且つベルト３の一端部（上方ベルト８の一端側）が止着された止着部５の上面側に形成されてなる。
【００１４】
更に、該当接面９の先端部９ａには第一取付具１０が装着され、該第一取付具１０には、補助ベルト１１の一端部１１ａが挿入されて係止されてなり、該補助ベルト１１の他端部１１ｂは、前記パット部材８ａの上面側に装着された第二取付具１２に挿入されて係止されてなる。このように、当接面９とベルト３とは、補助ベルト１１によって連結されてなり、該補助ベルト１１は、両取付具１０，１２によって長さ調整可能に設けられてなる。
【００１５】
次に、釣竿ケースの使用状態について図２を参酌して説明する。
まず、ベルト３とケース本体１との間に腕を通してケース本体１を担ぎ上げ、一端部１１ａが第一取付具１０に固定された補助ベルト１１を前方側に引っ張ってケース本体１の上方側を前方側に引き寄せて、ケース本体１を略直立状態として補助ベルト１１の他端部１１ｂを第二取付具１２に固定し、ベルト３の長さ調整も長さ調整具７を用いて行って、ケース本体１を体に固定させる。
【００１６】
このように、補助ベルト１１を引き寄せると、当接面９がパット部材８ａの外面側に当接して、該当接面９がパット部材８ａを介して肩２０に当接する。また、当接面９が凹状の曲面状に形成されてなるので、肩２０を覆うパット部材８ａも当接面９の曲面に沿って凹状の曲面状となり、パット部材８ａを介して当接面９が肩２０に沿って密着する。また、前壁２の平面状の部分も背中２１に当接するので、ケース本体１を体に完全に密着させた状態で携帯することができる。
【００１７】
従って、ケース本体１を体に密着させることができるので、携帯時にケース本体１が肩２０を中心にして前後に揺動することを防止できる結果、ケース本体１を安定化させることができ、携帯者の携帯時の負担を軽減させることができるのである。
【００１８】
特に、ケース本体１の前壁２が背中２１のみならず、肩２０に当接しているので（当接面９）、ケース本体１の揺動を確実に抑制することができ、ケース本体１の携帯時の安定性が向上するのである。しかも、補助ベルト１１が当接面９より上方側のケース本体１と上方ベルト８とを連結しているので、より一層ケース本体１の安定性を高めることができるうえに、補助ベルト１１が当接面９の先端部９ａに取り付けられてなるので、補助ベルト１１によって当接面９を前方側に引き寄せて容易且つ確実に肩２０に当接させることができ、当接面９と肩２０との密着性をも高めることができるのである。
【００１９】
尚、ベルト３の構成については特に限定するものではなく、ベルト３が一体のものや、パット部材８ａを設けていないものであってもよい。但し、ベルト３を長さ調整可能に形成することが好ましく、これにより、ケース本体１を特に背中２１に密着させてケース本体１と体との前後方向の密着性を高めることができ、また、パット部材８ａ等の緩衝材を設けることにより、携帯時の肩２０へのベルト３のくい込み等を防止できて携帯者の負担を緩和できる利点がある。
【００２０】
また、補助ベルト１１の構成も種々の設計変更が可能であり、補助ベルト１１の取付位置（当接面９の先端部９ａとパット部材８ａの外面）についても限定するものではなく、当接面９より上方側に補助ベルト１１を設けていれば本発明の意図する範囲内であり、当接面９より上方側のケース本体１をベルト３側に引き寄せて当接面９を確実に肩２０に密着させることができる。但し、上記実施形態の如く、当接面９の先端部９ａに補助ベルト１１を取り付けることにより、補助ベルト１１を介して直接当接面９に力を加えて、より一層確実且つ容易に肩２０に密着させることができる利点がある。
【００２１】
尚、上記実施形態においては、当接面９の曲面がベルト３の上方側の止着部５を起点として上方に向かって形成されてなるが、該止着部５から上方に離間した箇所を起点として曲面が形成されていてもよい。但し、ベルト３の一端部が止着された止着部５を起点として当接面９を形成することにより、前壁２と肩２０や背中２１との間に空間が生じにくくなり、より一層ケース本体１を体に密着させることができる。
【００２２】
更に、かかる当接面９の形状も適宜設計変更可能であり、凹状の曲面状以外であってもよいが、凹状に形成することによって肩２０への密着性を高めることができ、更に、曲面状に形成することでより一層密着性が高まり携帯時の安定性を向上させることができるのである。
【００２３】
尚、ケース本体１の形状や材質等は特に限定されず、釣竿が収容可能であればよく、リールが取り付けられた状態の釣竿を収容可能にすべく、下部が膨出した形状等であっても本発明の意図する範囲内である。
【００２４】
【発明の効果】
本発明に係る釣竿ケースにあっては、ケース本体の上方側で且つベルトの一端部が止着された上面側に、一側壁からベルト側に突出する当接面が形成されてなるので、携帯時に、肩や背中にケース本体を密着させることができる。従って、携帯時にケース本体が安定するので、携帯者の負担を従来に比して大幅に低減できるのである。
【００２５】
特に、請求項２記載の如く、当接面を凹状に形成することにより、肩と当接面との密着性をより一層高めることができ、より一層安定性を増すことができるという効果を奏する。
【００２６】
また、請求項３記載の如く、当接面より上方側に補助ベルトを設けることにより、当接面を確実に肩に密着させることができるうえに、該密着状態を確実に維持させることができるという効果を奏する。
【図面の簡単な説明】
【図１】本発明の一実施形態における釣竿ケースを示す斜視図。
【図２】一実施形態の釣竿ケースの使用状態を示す側面図。
【符号の説明】
１…ケース本体、２…前壁（一側壁）、３…ベルト、９…当接面、１１…補助ベルト
【図１】
0003884157.tif 000002
【図２】
0003884157.tif 000003